(57)【特許請求の範囲】
【請求項１】
視標光束を被検眼に導くために所定の筐体内に配置された導光光学系であって，上下複数段に視標が描かれた視標画面を持つ視標板と，前記視標画面に描かれた上下複数段の視標の一部を呈示するためのマスクを持つマスク板と，視標板及びマスク板を介した視標光束を光学的に所定の検査距離で呈示するための凹面鏡及び該凹面鏡の光軸上に斜設されたビームスプリッタと，を有する導光光学系と、前記マスク板により呈示する視標のマスクを選択するマスク選択手段と、を備え、前記筐体が持つ呈示窓を通して検査視標を呈示する省スペース型の視標呈示装置において、
前記凹面鏡の光軸上で前記ビームスプリッタの斜設位置を通って水平方向に延びる回転軸を中心に、前記ビームスプリッタを上下方向に回転させるか、又は少なくとも前記ビームスプリッタ及び凹面鏡を含む導光光学系を一体的に上下方向に回転させる上下回転手段と、
前記マスク選択手段により選択された横一列マスクの選択信号に応答して前記上下回転手段を制御する制御手段であって、前記横一列マスクが掛けられる視標の配置情報に基づいて被検眼の略同一高さの視線上に横一列マスクが掛けられる視標を位置させるように前記ビームスプリッタ又は導光光学系の回転角度を決定し、該決定した回転角度にしたがって前記上下回転手段を制御する制御手段と、
を備えることを特徴とする視標呈示装置。
【請求項２】
請求項１の視標呈示装置において、前記制御手段は、視標画面の中央に対する横一列マスクが掛けられる視標の上下方向の配置距離、視標画面の光学的な検査距離、被検眼から前記回転軸までの距離及び前記凹面鏡の結像倍率に基づいて前記回転角度を決定することを特徴とする視標呈示装置。
【請求項３】
請求項２の視標呈示装置は、被検眼の高さを入力する入力手段を備え、前記制御手段は、入力された被検眼の高さに基づいて前記視標画面の中央の視標光束を被検眼の高さ方向に向かわせるように前記上下回転手段の駆動を制御し、このときの回転角度を基準にして前記視標画面の中央以外の横一列マスクの選択信号が入力されたときに、さらに前記上下回転手段を駆動するための前記回転角度を決定することを特徴とする視標呈示装置。
【請求項４】
請求項１の視標呈示装置は、さらに、前記凹面鏡の光軸が通って上下方向に延びる軸を中心に前記ビームスプリッタを左右方向に回転させるか、又は少なくとも前記ビームスプリッタ及び凹面鏡を含む導光光学系を一体的に左右方向に回転させる左右回転手段を備え、
前記制御手段は、前記マスク選択手段により縦一列マスクの選択信号が入力されたときに、縦一列マスクが掛けられる視標の配置情報に基づいて、左右方向における被検眼の略同一の視線上に縦一列マスクが掛けられる視標を位置させるように前記ビームスプリッタ又は導光光学系を左右方向に回転させる回転角度を決定し、該決定した回転角度にしたがって前記左右回転手段の駆動を制御することを特徴とする視標呈示装置。
【発明の詳細な説明】
【技術分野】
【０００１】
本発明は、所定の筐体内に凹面鏡を備え、被検者に検査視標を呈示する視力呈示装置に関する。
【背景技術】
【０００２】
筐体内に配置された凹面鏡及びビームスプリッタ（ハーフミラー）を介して、呈示窓から検査視標を呈示する省スペース型の視標呈示装置が知られている（例えば、特許文献１、２参照）。この視標呈示装置では、所定の視標画面が形成された視標ディスク板を回転して光路に検査視標を選択的に配置することにより、検査視標が被検眼に呈示される。また、この種の視標呈示装置では、横一列マスク等が形成されたマスク板を光路に選択的に配置することにより、１つの視標画面の複数段に形成された視標の一部を選択的に呈示可能にしている。さらにまた、この装置では、ビームスプリッタを上下方向に回転する駆動機構を設け、被検者の眼の高さに応じてビームスプリッタを駆動し、検査視標が呈示窓を介して上下方向の略中央に呈示されるようにしている（特許文献１参照）。
【特許文献１】特開平７−２３６６１２
【特許文献２】特開２００２−２０００４２
【発明の開示】
【発明が解決しようとする課題】
【０００３】
特許文献１の技術の使用により、被検者の眼の高さが異なっても、呈示窓の中央に検査視標を呈示でき適切に検査を行えるようになった。しかし、１つの画面で複数段に呈示される視標にマスクを掛けて、上段又は下段のみを呈示するようにした場合、上段又は下段の視標の呈示位置は、被検者の視線位置に対して上下にずれた状態で呈示される。上段又は下段にマスクが掛けられた視標の呈示の場合、被検者は視線を上下に動かす煩わしさが入る。また、上段、中段、下段の呈示位置が分かれているため、検査視標の配置位置から検査視標の内容を覚えられやすい問題があった。検査視標の配置から検査視標の内容が覚えられると、検査視標の視認状態を記憶に頼って応答してしまい、正確な検査が行えなくなる。さらに、縦一列マスクの場合、一文字マスクの場合にも同種の問題がある。
【０００４】
本発明は、上記従来技術の問題点に鑑み、マスク掛けによる検査視標の呈示に際して、視線の移動の煩わしさを軽減し、また、検査視標の記憶による応答を軽減することができる視標呈示装置を提供することを技術課題とする。
【課題を解決するための手段】
【０００５】
上記課題を解決するために、本発明は以下のような構成を備えることを特徴とする。
【０００６】
（１）  視標光束を被検眼に導くために所定の筐体内に配置された導光光学系であって，上下複数段に視標が描かれた視標画面を持つ視標板と，前記視標画面に描かれた上下複数段の視標の一部を呈示するためのマスクを持つマスク板と，視標板及びマスク板を介した視標光束を光学的に所定の検査距離で呈示するための凹面鏡及び該凹面鏡の光軸上に斜設されたビームスプリッタと，を有する導光光学系と、前記マスク板により呈示する視標のマスクを選択するマスク選択手段と、を備え、前記筐体が持つ呈示窓を通して検査視標を呈示する省スペース型の視標呈示装置において、
前記凹面鏡の光軸上で前記ビームスプリッタの斜設位置を通って水平方向に延びる回転軸を中心に、前記ビームスプリッタを上下方向に回転させるか、又は少なくとも前記ビームスプリッタ及び凹面鏡を含む導光光学系を一体的に上下方向に回転させる上下回転手段と、
前記マスク選択手段により選択された横一列マスクの選択信号に応答して前記上下回転手段を制御する制御手段であって、前記横一列マスクが掛けられる視標の配置情報に基づいて被検眼の略同一高さの視線上に横一列マスクが掛けられる視標を位置させるように前記ビームスプリッタ又は導光光学系の回転角度を決定し、該決定した回転角度にしたがって前記上下回転手段を制御する制御手段と、
を備えることを特徴とする。
（２）  （１）の視標呈示装置において、前記制御手段は、視標画面の中央に対する横一列マスクが掛けられる視標の上下方向の配置距離、視標画面の光学的な検査距離、被検眼から前記回転軸までの距離及び前記凹面鏡の結像倍率に基づいて前記回転角度を決定することを特徴とする。
（３）  （２）の視標呈示装置は、被検眼の高さを入力する入力手段を備え、前記制御手段は、入力された被検眼の高さに基づいて前記視標画面の中央の視標光束を被検眼の高さ方向に向かわせるように前記上下回転手段の駆動を制御し、このときの回転角度を基準にして前記視標画面の中央以外の横一列マスクの選択信号が入力されたときに、さらに前記上下回転手段を駆動するための前記回転角度を決定することを特徴とする。
（４）  （１）の視標呈示装置は、さらに、前記凹面鏡の光軸が通って上下方向に延びる軸を中心に前記ビームスプリッタを左右方向に回転させるか、又は少なくとも前記ビームスプリッタ及び凹面鏡を含む導光光学系を一体的に左右方向に回転させる左右回転手段を備え、
前記制御手段は、前記マスク選択手段により縦一列マスクの選択信号が入力されたときに、縦一列マスクが掛けられる視標の配置情報に基づいて、左右方向における被検眼の略同一の視線上に縦一列マスクが掛けられる視標を位置させるように前記ビームスプリッタ又は導光光学系を左右方向に回転させる回転角度を決定し、該決定した回転角度にしたがって前記左右回転手段の駆動を制御することを特徴とする。
【発明の効果】
【０００７】
本発明によれば、マスク掛けによる検査視標の呈示に際して、視線の移動の煩わしさを軽減し、また、検査視標の記憶による応答を軽減することができる。
【発明を実施するための最良の形態】
【０００８】
以下、本発明の実施の形態を図面に基づいて説明する。図１は本発明に係る視標呈示装置の概観略図である。
【０００９】
装置本体１が持つ筐体１ａの正面には反射防止膜が施されたアクリル板からなる呈示窓２が配置され、被検者はこの呈示窓２を介し筐体内に視標を見ることができる。筐体１ａの内部は黒色に塗装されており、内部構造が見えにくくしている。筐体１ａの正面には、後述するワイヤレスのリモコン４０に対する光信号の送受信を行う送受信部４が配置されている。
【００１０】
次に、筐体１ａの内部に配置される導光光学系を図２、図３に基づいて説明する。図２は筐体１ａの右側面から見たときの透視略図、図３は正面から見たときの透視略図である。
【００１１】
ガラス板からなる円盤状の視標ディスク板２０の同一円周上には視力値視標等の多数の検査視標がクロム蒸着等により形成されている。視標ディスク板２０はモータ２１により回転され、被検眼Ｅに呈示する視標が検査光路に切換え配置される。呈示視標の一部をマスクするためのマスク板２２は、モータ２３により回転される。
【００１２】
また、筐体１ａの内部には検査視標を照明する照明光源２４、ミラー２５、ビームスプリッタ２６、凹面鏡２７を有する導光光学系が配置されている。本形態での凹面鏡２７は、被検眼Ｅと筐体１ａの呈示窓２との距離が１．１ｍのときに、視標と被検眼Ｅとの光学距離を５ｍの検査距離にするようにその焦点距離が設計されている。なお、被検眼Ｅと筐体１ａの呈示窓２との距離は製品の仕様に合わせて例えば０．９ｍとしてもよい。
【００１３】
照明光源２４により照明された検査視標の光束は、ミラー２５によって上方に反射され、ビームスプリッタ２６を透過した後、凹面鏡２７で反射される。凹面鏡２７で反射した視標光束はビームスプリッタ２６で反射され、呈示窓２を介して被検眼Ｅに向かう。
【００１４】
ビームスプリッタ２６は、凹面鏡２７の光軸Ｌ01上に斜設され、光軸Ｌ01上で水平方向に延びる回転軸２８を中心にして、上下回転モータ２９により上下方向に回転される。ビームスプリッタ２６が上下方向に回転されることにより、ビームスプリッタ２６で反射された視標光束の向かう高さが、被検眼Ｅの高さの違いに応じて変えられる。さらに、ビームスプリッタ２６は、マスク板２２によりマスクが掛けられる検査視標の上下位置に応じてその回転角度が変えられる。ビームスプリッタ２６の下方には、垂直方向に延びる光軸Ｌ01の軸回りに回転可能に回転板３７が配置されている。回転板３７の中央部は、ミラー２５によって反射される視標光束を通過する空間が形成されている。回転板３７の周辺に立てられた２つの支柱３６により回転軸２８が回転可能に保持されている。回転板３７の外周にはギヤが形成され、このギヤがモータ３９の回転軸に取り付けられたギヤ３８と噛み合わされている。この構成により、モータ３９を回転させると、光軸Ｌ01を中心にしてビームスプリッタ２６が左右方向に回転される。これにより、ビームスプリッタ２６で反射された視標光束の向かう左右方向が変えられる。ビームスプリッタ２６の左右方向の回転角度は、マスク板２２によりマスクが掛けられる検査視標の左右位置に応じて変えられる。
【００１５】
図２において、ビームスプリッタ２６の後方には、被検眼の高さ位置を検出するための検出光学系３０が配置されている。検出光学系３０は、集光レンズ３１、２次元の位置検出素子３２を備える。
【００１６】
図４は視標ディスク板２０、マスク板２２の詳細を示した図である。図４（ａ）の視標ディスク板２０上には、各種の視力値を持つランドルト環視力視標、ひらがな視力視標、レッド・グリーン検査、両眼バランス視標等が描かれた複数の視標画面が同一円周上に設けられている。各視標画面５０は、視標ディスク板２０の回転軸５３を中心に回転され、照明光源２４の視標光路に選択的に切換え配置されることにより、呈示窓２から筐体１ａ内に１つの画面として呈示される。
【００１７】
視力視標検査視標の中には、１つの視標画面５０に横３列×縦５列のように、複数の視標が形成された字詰まり視標が用意されている。字詰まり視標では、マスク板２２に設けられたマスクの内の一つを切換え配置することで、字詰まり視標に描かれた視標の一部のみを呈示窓２内に呈示できる。
【００１８】
図４（ｂ）のマスク板２２を示す図において、回転軸６７を中心にして放射状に延びる一点鎖線６７aは、視標画面５０の上下方向の中心を表している。また、図において、同一半径の円弧上に描かれた一点鎖線６７bは視標画面５０の横方向の中心を表している。マスク板２２には、マスクをかけずに視標面全体を呈示させるための開口部６０と、字詰まり視標画面において、上段、中段、下段の位置の視標を呈示させるための横一列マスク６１（上段横一列マスク６１ａ、中段横一列マスク６１ｂ、下段横一列マスク６１ｃ）と、縦方向の位置の視標を呈示させるための縦一列マスク６２（左端縦一列マスク６２ａ、中央縦一列マスク６２ｂ、右端縦一列マスク６２ｃ）と、視標を１文字毎に個別に呈示させるための１文字マスク６３，６４，６５と、が形成されている。１文字マスク６３は、横一列に２個配列された視標を個別に呈示するマスクを持ち、１文字マスク６４は横一列に３個配列された視標を個別に呈示するマスクを持ち、１文字マスク６５は横３列×縦５列に配列された視標を個別に呈示するマスクを持つ。
【００１９】
視標ディスク２０及びマスク板２２によって呈示する視標は、リモコン４０により選択される。図５にリモコン４０の外観と視標呈示装置全体の制御ブロック図を示す。リモコン４０は、視標画面を選択するスイッチ４２と、一文字／横一列マスクを切換えるスイッチ４３と、字詰まり視標の呈示中に横一列マスクを選択するスイッチ４７ａ，４７ｂ（既にマスクが掛かっているときには、マスクを上下に移動させるときに使用するスイッチ）と、字詰まり視標の呈示中に縦一列マスクを選択するスイッチ４７ｃ，４７ｄ（既にマスクが掛かっているときには、マスクを左右に移動させるときに使用するスイッチ）と、ビームスプリッタ２６を上下に回転させて呈示窓２を介して見させる視標呈示画面を上下に移動するためのスイッチ４４と、視標呈示位置を自動的に設定するときに使用するスイッチ４５と、を備える。また、リモコン４０は、呈示視標及び操作情報等を表示する液晶ディスプレイ４６を表面に備える。リモコン４０の側面前部には装置本体１を制御するための信号の送信および装置本体からの信号を受信する通信窓４０ａが設けられている。
【００２０】
リモコン４０の操作によりスイッチ信号は、通信窓４０ａから装置本体１側に送信され、送受信部４で受信された信号は制御部１０に送られる。制御部１０は、送受信部４を介して入力された信号に基づいて、選択された視標画面５０及び選択されたマスクを光路中にセットすべくモータ２１、２３が駆動する。また、検者がリモコン４０を被検眼の近傍の高さ位置に合わせてスイッチ４５を押すと、通信窓４０ａから視標高さを合わせるための所定波長の赤外光が発光され、その光は検出光学系３０が持つ位置検出素子３２に検出される。制御部１０は位置検出素子３２の出力に基づいてモータ２９を回転させ、視標光束（視標画面の中心光束）がリモコン４０の位置する眼の高さ位置に向かうように、ビームスプリッタ２６の上下回転（上下方向の傾斜）の駆動を制御する。なお、ビームスプリッタ２６の上下回転は、手動スイッチ４４によっても駆動可能である。
【００２１】
次に、横一列マスクによる検査視標の呈示に際して、被検者が視線を移動させずに検査視標を視認させるための方法を、図６、図７に基づいて説明する。図６は、横一列マスクが下段に掛けられたときに、上下方向の中央に横一列の視標を呈示するためのビームスプリッタ２６の回転駆動を説明する図であり、光学系を側方から見た図である。なお、図６においては、ビームスプリッタ２６の上方に位置する凹面鏡２７の光軸ｃと、視標ディスク板２０の視標画面５０及びマスク板２２の各マスクの中心を通る光と、が一致するように模式的に描かれている。
【００２２】
横一列マスクによる検査視標の呈示に際して、被検者が視線を移動させずに検査視標を視認させるためには、回転軸２８を中心にしてビームスプリッタ２６を上下方向に回転させる。このときのビームスプリッタ２６の回転角度は、横一列のマスクが掛けられる視標の配置情報と導光光学系の設置情報とに基づいて決定される。導光光学系の設置情報としては、被検眼Ｅからビームスプリッタ２６の回転軸２８の中心までの距離Ｌ１と、検査距離Ｌ２を含む。検査距離Ｌ２は、ビームスプリッタ２６及び凹面鏡２７等により呈示される虚像の視標画面１５０と被検眼Ｅとの距離となる。例えば、設置距離Ｌ１は約１．２４ｍ、検査距離Ｌ２は５ｍである。
【００２３】
横一列のマスクが掛けられる視標の配置情報の例として、図７（ａ）に示される横３列×縦５列の字詰まり視標の視標画面５０を説明する。この例において、上段、中段及び下段の視標を個別に呈示するときには、マスク板２２の中の横一列マスク６１ａ，６１ｂ及び６１ｃがそれぞれ重ねられる。上段及び下段の視標の中心は、中段の視標の中心に対して、それぞれ距離ｈ１で配置されている。図７（ｂ）は、凹面鏡２７、ビームスプリッタ２６等により検査距離５ｍの位置に呈示される虚像の視標画面１５０であり、横一列マスク６１ａ，６１ｂ，６１ｃに対応する虚像の横一列マスク１６１ａ，１６１ｂ，１６１ｃがそれぞれ視標画面１５０の視標に重ねられる。このとき、上段及び下段の視標（マスク１６１ａ，１６１ｃ）の中心は、中段の視標（マスク１６１ｂ）の中心に対して、それぞれ距離ｈ２とされるものとする。
【００２４】
虚像の結像倍率をβとすると、視標画面５０の距離ｈ１と虚像の視標画面１５０の距離ｈ２には以下の関係がある。
【００２５】
【数１】
0005048457.tif 000002
なお、虚像の結像倍率βは、装置内部の光学系によって設計的に既知の値であり、例えばβ＝１０．３である。また、距離ｈ１は視標の構成で決まっており、横２列×縦２列の視標では約９．４ｍｍ、横３列×縦５列の視標では５．９ｍｍであるとすると、虚像の視標画面上での距離ｈ２は、それぞれ約９６．８ｍｍ、約６０．８ｍｍとなる。
【００２６】
ここで、視標画面５０の中心光束が被検眼Ｅの高さに合うようにビームスプリッタ２６の回転角度が設定されているものとする。この場合、視標画面５０の中段の視標に横一列マスク６１ｂが掛けられると、被検眼Ｅは呈示窓２を介して視軸Ａ上に中段の視標を見ることができる。一方、図６のように、下段の視標に横一列マスク６１ｃを掛けた場合、ビームスプリッタ２６を矢印Ｆ方向に回転させることにより、横一列マスク６１ｃが掛けられた下段の視標を被検眼の視軸Ａ上に呈示することができる。このときのビームスプリッタ２６の回転角度をαとすると、回転角度α、設置距離Ｌ１及び検査距離Ｌ２との間には、次の関係が成り立つ。
【００２７】
【数２】
0005048457.tif 000003
この式により、回転角度αが決定される。なお、設置距離Ｌ１及び検査距離Ｌ２は設計的に既知の値であり、距離ｈ２は、前述のように、虚像の結像倍率βと実際の視標の距離ｈ１とにより求められる。
【００２８】
また、上段の視標に横一列マスク６１ａを掛けた場合、ビームスプリッタ２６を矢印Ｆ方向とは逆方向に回転させることにより、その視標を視軸Ａ上に移動させることができる。この場合のビームスプリッタ２６の回転角度αも、上記と同様に決定される。
【００２９】
なお、虚像の視標画面１５０は、ビームスプリッタ２６の回転軸２８を中心に回転されるため、視軸Ａ上の検査距離Ｌ２はビームスプリッタ２６の回転前後で多少異なるが、その差は僅かであり、実用上の問題は無い。
【００３０】
上記は、横一列マスク（又は一文字マスク）を掛けたときの上下方向のずれを補正する方法であるが、好ましくは、縦一列マスク（又は一文字マスク）を掛けたときも左右方向のずれを補正するように、ビームスプリッタ２６を回転駆動させる。この場合、ビームスプリッタ２６を通る視標中心光軸Ｌ01を中心とした軸回りにビームスプリッタ２６を回転させる。このときのビームスプリッタ２６の回転角度は、縦一列のマスクが掛けられる視標の配置情報と導光光学系の設置情報とに基づいて決定される。
【００３１】
図８は、中央から外れた縦一列マスクが掛けられたときに、左右の中央に縦一列の視標を呈示するためのビームスプリッタ２６の回転駆動を説明する図であり、光学系を上から見た図である。また、縦一列のマスクが掛けられる視標の配置情報の例として、図９（ａ）を使用して、横３列×縦５列の字詰まり視標の視標画面５０を説明する。この図において、左端、中央列及び右端の視標列を個別に呈示するときに、マスク板２２の中の縦一列マスク６２ａ，６２ｂ及び６２ｃがそれぞれ重ねられる。左端及び右端の視標列は、中央列の視標中心に対して、それぞれ距離ｈ３で配置されている。図９（ｂ）は、検査距離５ｍの位置に呈示される虚像の視標画面１５０であり、縦一列マスク６２ａ，６２ｂ及び６２ｃに対応する虚像の縦一列マスク１６２ａ，１６２ｂ，１６２ｃがそれぞれ視標画面１５０の視標に重ねられる。このとき、縦一列マスク１６２ａ及び１６２ｃで呈示される視標中心は縦一列マスク１６２ｂにより呈示される視標中心に対して、それぞれ距離ｈ４とされる。距離ｈ４は、距離ｈ３に結像倍率βを乗じることにより、求められる。
【００３２】
そして、左端の視標列に縦一列マスク６２ａを掛けた場合、図８のように、ビームスプリッタ２６を矢印Ｒ方向（被検者から見て右方向）に回転角度γだけ回転させることにより、縦一列マスク６２ａが掛けられた左端の視標を視軸Ａ上に移動させることができる。被検眼Ｅからビームスプリッタ２６の回転中心Ｌ01までの距離をＬ１とし、また、検査距離をＬ２とすると、回転角度γは以下の式で求められる。
【００３３】
【数３】
0005048457.tif 000004
また、右端の視標列に縦一列マスク６２ｃを掛けた場合には、ビームスプリッタ２６を矢印Ｒ方向とは逆方向（被検者から見て左方向）に回転角度γだけ回転させることにより、縦一列マスク６２ｃが掛けられた右端の視標を視軸Ａ上に移動させることができる。
【００３４】
次に、以上のような構成を持つ装置を使用した検査動作について説明する。まず、被検者を筐体１の呈示窓から１．１ｍの所定位置に位置させることにより、検査距離が所定距離（５ｍ）に設定される。次に、被検眼Ｅの高さ位置を入力するために、被検眼Ｅの眼の近傍にリモコン４０を位置させ、スイッチ４５を押す。この操作により通信窓４０ａから送信された位置信号は、集光レンズ３１により位置検出素子３２に集光され、被検眼の高さ位置のデータが検出される（視標光の光路を被検眼の高さに合わせる方法は、詳しくは特開平７−２３６６１２を参照されたい）。この位置データに基づき制御部１０は、上下回転モータ２９を相応する量だけ回転させる。上下回転モータ２９の回転によりビームスプリッタ２６の角度が変わり、視標光束が被検眼Ｅの高さ方向に向けられる。
【００３５】
視標光束が被検眼に正確に入射するようにした後、検者はリモコン４０を操作して視力検査を行う。呈示したい視標をリモコン４０のスイッチ４２で選択すると、選択した視標の種類がリモコン４０の液晶ディスプレイ４６に表示され、同時に送信窓４０ａから視標選択信号が装置本体１へ送信される。視標選択信号は装置本体１の送受信部４で受信され、視標ディスク２０の中で選択した視標が光路中にセットされる。例えば、検査視標は、図７で示した横３列×縦５列の視標画面５０のものが選択されたとする。
【００３６】
リモコン４０のスイッチ４７ａ又は４７ｂが押されると、制御部１０によりマスク板２２が回転駆動され、呈示した視標画面５０の中段に横一列マスク６１ｂが掛けられる。次に、横一列マスクの視力値視標を一つ大きなものにするためにスイッチ４７ａを押すと、上段横一列マスク６１ａが掛けられる。このとき、制御部１０は、スイッチ４７ａの信号に応答してモータ２９を駆動し、図６のように、ビームスプリッタ２６を回転角度αだけ回転軸２８の軸回りに回転する。このときの回転方向は、図６の矢印Ｆ方向とが逆方向である。回転角度αは、前述の数２の式により制御部１０が演算により決定する。回転方向は、視標画面５０の中央に対して上側か下側かによって決定される。なお、マスク選択スイッチ４３，４７ａに応答して制御部１０が決定するビームスプリッタ２６の回転角度αと回転方向は、都度演算するのでなく、マスク選択用のスイッチ４７ａ又は４７ｂの信号に応答して、予めメモリに記憶しておいたものを呼び出すことでも良い。
【００３７】
図１０（ａ）は、ビームスプリッタ２６の回転駆動しない場合の従来装置における、上段横一列マスクによる視標の呈示状態である。従来においては、横一列マスクがかかった視標が呈示窓２の上側に見えるよう呈示される。この場合、被検者は視線を上に移動させる必要がある。また、被検者は検査視標の位置によって視標内容を把握しやすくなる。これに対して、図１０（ｂ）は、本装置による視標の呈示状態であり、上段マスク６１ａを選択した場合でも、呈示窓の上下中央に横一列マスクがかかった視標が呈示されている。このため、被検者は視線を移動せずに視標を見ることができ、視標の位置によって視標内容を記憶してしまうことが軽減される。
【００３８】
また、スイッチ４７ｂを操作して、視標画面５０の下段にある視標を呈示すべく、下段横一列マスク６１ｃを掛ける信号が入力されると、制御部１０は、その信号に応答してモータ２９を駆動し、ビームスプリッタ２６を図６の矢印Ｆ方向に回転角度αだけ回転する。これにより、下段横一列マスク６１ｃを掛けた場合も、図１０（ｄ）のように、呈示窓２の中央に検査視標が呈示される。図１０（ｃ）は、ビームスプリッタ２６を回転しない場合の従来装置の呈示状態である。
【００３９】
また、縦一列マスク及び一文字マスクによる視標呈示においても、中央に視標を呈示できることが好ましい。図９（ａ）の横３列×縦５列の視標画面５０において、左端の視標列に縦一列マスクをかけるべく、縦マスクを選択するスイッチ４７ｃが押されると、制御部１０はマスク板２２を回転して、左端縦マスク６２ａを光路中に切換え配置する。また、同時に、制御部１０はそのスイッチ信号に応答してモータ３９を駆動し、図８のように、ビームスプリッタ２６を矢印Ｒ方向（被検者からみて右方向）に角度γだけ回転させる。これにより、図１１（ａ）のように、従来においては呈示窓２の左側に呈示されていた縦一列の視標が、図１１（ｂ）のように、中央に呈示されるようになる。
【００４０】
さらに、一文字マスクを選択すべく、図１０（ｂ）の横一列マスクの呈示状態から一文字／横マスク切換えスイッチ４３が押されると、マスク板２２が持つ所定の一文字マスクが光路中に切換えられる。一文字マスクの場合、スイッチ４７ａ〜４７ｂによってマスク位置を移動させる信号を入力することができる。ここで、例えば、図７（ａ）の横３列×縦５列の視標画面５０において、左上の視標を呈示するように、一文字マスクが変えられたとする。この場合、制御部１０は、スイッチ４３等の一文字マスクの選択信号に応答し、回転軸２８を中心に図６の矢印Ｆの逆方向に角度αだけビームスプリッタ２６を回転すると共に、軸Ｌ01を中心に図８の矢印Ｒ方向に角度γだけビームスプリッタ２６を回転させる。これにより、図１２（ａ）のように、従来において呈示窓２の左上に呈示されていた一文字の視標が、図１２（ｂ）のように、左右及び上下の中央に呈示される。これにより、一文字マスクの視標呈示の場合は、被検者が視標の呈示位置によって視標内容を覚えてしまうことを軽減でき、記憶による応答を避けられる。このため、視力検査をより正確に行える。
【００４１】
上記の図２で示した視標呈示の光学系は、種々の変容が可能である。例えば、図１３に示すように、ビームスプリッタ２６の背後に凹面鏡２７を配置した構成でも良い。この光学系においては、照明光源２４により照明された検査視標の光束は、ミラー２５によって上方に反射され、さらにビームスプリッタ２６で背後の凹面鏡２７側に反射された後、凹面鏡２７で反射される。凹面鏡２７で反射した視標光束はビームスプリッタ２６を透過した後、呈示窓２を介して被検眼Ｅに向かう。この場合、横一列マスクの上段又は下段の選択時に視標の呈示位置を上下方向の中央に移動するときには、ビームスプリッタ２６及び凹面鏡２７（又は光学系全体）を一体として、上下回転駆動機構１００により回転軸２８を中心にして上下方向に回転させる。また、縦一列マスクを選択時に視標の呈示位置を左右方向の中央に移動するときには、ビームスプリッタ２６をと通る視標光束の中心にした垂直軸Ｌ01を中心にして、ビームスプリッタ２６及び凹面鏡２７（又は光学系全体）を一体として左右回転機構１０１により左右方向に回転させる。上下方向の回転角度、左右方向の回転角度は、横一列マスク又は縦一列マスクの選択信号に応じて、前述のように制御部１０により決定される。一文字マスクの選択時には、上下方向の回転と左右方向の回転が合成される。
【図面の簡単な説明】
【００４２】
【図１】装置本体の外観を示す図である。
【図２】筐体を右側面から見たときの透視略図である。
【図３】筐体を正面から見たときの透視略図である。
【図４】視標ディスク板とマスク板の詳細を示す図である。
【図５】リモコンの外観と視標呈示装置全体の制御ブロック図を説明する図である。
【図６】上下方向の中央に横一列の視標を呈示するためのビームスプリッタの回転駆動を説明する図である。
【図７】横一列のマスクが掛けられる視標の配置情報の例である。
【図８】左右方向の中央に縦一列の視標を呈示するためのビームスプリッタの回転駆動を説明する図である。
【図９】縦一列のマスクが掛けられる視標の配置情報の例である。
【図１０】横一列マスクによる視標の呈示状態を説明する図である。
【図１１】縦一列マスクによる視標の呈示状態を説明する図である。
【図１２】一文字マスクによる視標の呈示状態を説明する図である。
【図１３】光学系が異なる視標呈示装置において筐体を右側面から見たときの透視図である。
【符号の説明】
【００４３】
１  装置本体
２  呈示窓
１０  制御部
２０  視標ディスク板
２２  マスク板
２６  ビームスプリッタ
２７  凹面鏡
２８  回転軸
２９  モータ
３６  支柱
３７  回転板
３９  モータ
４０  リモコン
５０  視標画面
【図１】
0005048457.tif 000005
【図２】
0005048457.tif 000006
【図３】
0005048457.tif 000007
【図４】
0005048457.tif 000008
【図５】
0005048457.tif 000009
【図６】
0005048457.tif 000010
【図７】
0005048457.tif 000011
【図８】
0005048457.tif 000012
【図９】
0005048457.tif 000013
【図１０】
0005048457.tif 000014
【図１１】
0005048457.tif 000015
【図１２】
0005048457.tif 000016
【図１３】
0005048457.tif 000017